(57)【要約】【課題】音声の大きい他人の携帯端末に対して警告できる警告報知プログラム等を提供する。【解決手段】警告要求側の携帯端末２Ａのプロセッサ２０は、所定操作に応じてブロードキャストの近距離無線通信で近距離無線エリア範囲内の当該携帯端末周辺の他の携帯端末に対してマイクの入力音の音声成分である騒音音量の送信を依頼する。プロセッサは、各周辺の携帯端末から前記送信の依頼に対応した騒音音量を収集し、収集した騒音音量の内、特定の周波数成分の音量が最大の騒音音量を特定し、特定された騒音音量を送信した携帯端末に対して警告を報知する。【選択図】図６
2014072753.tif 000002
【特許請求の範囲】
【請求項１】
通信端末装置のプロセッサに、
所定操作に応じてブロードキャストの無線通信で他の通信端末装置に対してマイクの入力音の送信を依頼し、
各通信端末装置から前記送信の依頼に対応した入力音を収集し、
収集した入力音の内、特定の周波数成分の音量が最大の入力音を特定し、
特定された入力音を送信した通信端末装置に対して警告を報知する
各処理を実行させることを特徴とする警告報知プログラム。
【請求項２】
前記特定の周波数成分の音量が最大の入力音を特定する処理は、
各通信端末装置から収集した同一時間帯の入力音内の特定の周波数成分の音量から、前記特定の周波数成分の音量が最大の入力音を特定する処理であることを特徴とする請求項１に記載の警告報知プログラム。
【請求項３】
前記報知された警告を受信した前記通信端末装置は、
前記警告に応じた処理動作を実行することを特徴とする請求項１に記載の警告報知プログラム。
【請求項４】
前記通信端末装置から収集した入力音は、
前記通信端末装置が前記入力音の送信の依頼に応じて一定の測定時間内で測定した入力音内の音声有り時点の入力音の周波数成分の音量と、当該測定時間内で測定した入力音内の音声無し時点の入力音の周波数成分の音量との差分である音声の騒音音量であることを特徴とする請求項１に記載の警告報知プログラム。
【請求項５】
プロセッサを有する通信端末装置であって、
前記プロセッサは、
所定操作に応じてブロードキャストの無線通信で他の通信端末装置に対してマイクの入力音の送信を依頼し、
各通信端末装置から前記送信の依頼に対応した入力音を収集し、
収集した入力音の内、特定の周波数成分の音量が最大の入力音を特定し、
特定された入力音を送信した通信端末装置に対して警告を報知する
各処理を実行することを特徴とする通信端末装置。
【請求項６】
通信端末装置の警告報知方法であって、
前記通信端末装置は、
所定操作に応じてブロードキャストの無線通信で他の通信端末装置に対してマイクの入力音の送信を依頼し、
各通信端末装置から前記送信の依頼に対応した入力音を収集し、
収集した入力音の内、特定の周波数成分の音量が最大の入力音を特定し、
特定された入力音を送信した通信端末装置に対して警告を報知する
各処理を実行することを特徴とする警告報知方法。
【発明の詳細な説明】
【技術分野】
【０００１】
本発明は、警告報知プログラム、通信端末装置及び警告報知方法に関する。
【背景技術】
【０００２】
携帯端末を利用する利用者が、例えば、電車、バス、映画館やコンサートホール等の公共の場所で大きな声で通話をして他人に不快感を与えるような場合が多々ある。
【０００３】
そこで、このような事態を抑止するために、携帯端末に音量計を備え、音量計で自分の通話音声が大きくなった場合に警告を発することが考えられる。
【先行技術文献】
【特許文献】
【０００４】
【特許文献１】特開２００２−９５０４４号公報
【特許文献２】特開２０１０−１５４３８８号公報
【特許文献３】特開２００６−７４４０９号公報
【特許文献４】特開２０１０−１６６４０６号公報
【特許文献５】特開２００８−４７９４７号公報
【発明の概要】
【発明が解決しようとする課題】
【０００５】
しかしながら、例えば、電車内のように周囲の雑音の大きい場所では、単純に音量計を使用した場合、通話音声が小さいにもかかわらず、周囲の雑音も拾って警告を誤判定してしまう。
【０００６】
また、第三者から通話音声だけでなく、声の大きな他人に警告を伝える手段はなく、第三者から他人に口頭で注意を促した場合にはトラブルの要因にも繋がる。
【０００７】
一つの側面では、音声の大きい他人の通信端末装置に対して警告できる警告報知プログラム、通信端末装置及び警告報知方法を提供することを目的とする。
【課題を解決するための手段】
【０００８】
一つの案では、通信端末装置のプロセッサが、所定操作に応じてブロードキャストの無線通信で他の通信端末装置に対してマイクの入力音の送信を依頼する。更に、プロセッサは、各通信端末装置から前記送信の依頼に対応した入力音を収集し、収集した入力音の内、特定の周波数成分の音量が最大の入力音を特定し、特定された入力音を送信した通信端末装置に対して警告を報知する。
【発明の効果】
【０００９】
開示の態様では、音声の大きい他人の通信端末装置に対して警告を報知できる。
【図面の簡単な説明】
【００１０】
【図１】図１は、実施例の騒音警告システムの一例を示す説明図である。
【図２】図２は、携帯端末の一例を示す説明図である。
【図３】図３は、携帯端末内のプロセッサで実行するプログラム機能の一例を示す説明図である。
【図４】図４は、騒音音量を抽出する際の動作の一例を示す説明図である。
【図５】図５は、警告表示の一例を示す説明図である。
【図６】図６は、騒音警告システム内の各携帯端末に関わる動作の一例を示す動作シーケンスである。
【図７】図７は、第１の騒音警告処理に関わる警告要求側の携帯端末のプロセッサの処理動作の一例を示すフローチャートである。
【図８】図８は、騒音測定処理に関わる周辺の携帯端末のプロセッサの処理動作の一例を示すフローチャートである。
【図９】図９は、警告処理に関わる警告対象の携帯端末のプロセッサの処理動作の一例を示すフローチャートである。
【図１０】図１０は、第２の騒音警告処理に関わる警告要求側の携帯端末のプロセッサの処理動作の一例を示すフローチャートである。
【図１１】図１１は、警告報知プログラムを実行する情報処理装置を示す説明図である。
【発明を実施するための形態】
【００１１】
以下、図面に基づいて、本願の開示する警告報知プログラム、通信端末装置及び警告報知方法の実施例を詳細に説明する。尚、本実施例により、開示技術が限定されるものではない。また、以下に示す各実施例は、矛盾を起こさない範囲で適宜組み合わせても良い。
【実施例】
【００１２】
図１は、実施例の騒音警告システムの一例を示す説明図である。図１に示す騒音警告システム１は、例えば、電車内で通話中の他人の携帯端末２（２Ｂ）に対して周辺の利用者の携帯端末２（２Ａ）から警告を報知するシステムである。尚、説明の便宜上、例えば、電車内での通話中、すなわち騒音元の携帯端末２を警告対象の携帯端末２Ｂ、警告対象の携帯端末２Ｂの周辺の利用者の携帯端末２を周辺の携帯端末２Ｃとする。更に、警告対象の携帯端末２Ｂの利用者の通話が煩わしいと感じた利用者の携帯端末２を、警告を要求する警告要求側の携帯端末２Ａとする。
【００１３】
図２は、携帯端末２の一例を示す説明図である。図２に示す携帯端末２は、例えば、スマートフォン等の携帯電話機である。携帯端末２は、アンテナ１１と、無線部１２と、スピーカ１３と、マイク１４と、オーディオ入出力部１５と、近距離無線部１６と、表示部１７と、キー操作部１８とを有する。更に、携帯端末２は、記憶部１９と、プロセッサ２０とを有する。記憶部１９は、ＲＡＭ（Random  Access  Memory）２１と、ＲＯＭ（Read  Only  Memory）２２とを有する。
【００１４】
無線部１２は、アンテナ１１経由で携帯電話網の無線信号を送受信する。オーディオ入出力部１５は、マイク１４で収音した音声にオーディオ処理を施すと共に、無線部１２経由で受信した無線信号内の音声信号にオーディオ処理を施してスピーカ１３から音響出力する。近距離無線部１６は、例えば、無線ＬＡＮ（Local  Area  Network）等の近距離無線方式の無線エリア範囲内の携帯端末２等と通信する。尚、近距離無線部１６は、例えば、Ｗｉ−Ｆｉ（Wireless  Fidelity、登録商標、以下同様）通信、ブルートゥース（登録商標、以下同様）通信や赤外線通信等の方式を採用しても良い。表示部１７は、各種情報を画面表示する出力インタフェースである。キー操作部１８は、携帯端末２のキー操作を検出する入力インタフェースである。
【００１５】
ＲＡＭ２１は、各種情報を記憶するメモリ領域である。ＲＯＭ２２には、警告報知プログラム等の各種プログラムが格納されている。プロセッサ２０は、携帯端末２全体を制御する。そして、プロセッサ２０は、ＲＯＭ２２に格納された警告報知プログラムを読み出し、読み出された警告報知プログラムに基づき各種機能のプロセスを実行する。
【００１６】
図３は、携帯端末２内のプロセッサ２０で実行する各プロセスの一例を示す説明図である。図３に示すプロセッサ２０は、各種機能のプロセスとして、無線制御部３１と、呼制御部３２と、近距離無線制御部３３と、マイク制御部３４と、表示制御部３５と、入力制御部３６と、騒音測定部３７と、警告判定部３８と、制御部３９とを有する。無線制御部３１は、無線部１２を制御するプロセスとして機能する。呼制御部３２は、無線部１２の呼接続を制御するプロセスとして機能する。近距離無線制御部３３は、近距離無線部１６を制御するプロセスとして機能する。マイク制御部３４は、マイク１４のＯＮ／ＯＦＦを制御するプロセスとして機能する。表示制御部３５は、表示部１７を制御するプロセスとして機能する。入力制御部３６は、キー操作部１８を制御するプロセスとして機能する。
【００１７】
騒音測定部３７は、警告要求側の携帯端末２Ａからの騒音測定開始のブロードキャスト信号を検出すると、マイク１４の入力音を測定するプロセスとして機能する。尚、警告要求側の携帯端末２Ａは、例えば、待ち受け中、通話中やデータ通信中等の使用状況に関係なく、騒音測定開始のブロードキャスト信号を近距離無線通信で送信するものである。騒音測定部３７は、マイク制御部３４を通じてマイク１４を一定の測定時間、例えば１０秒間ＯＮし、マイク１４を通じて測定時間分の入力音を測定する。
【００１８】
図４は、騒音音量を抽出する際の動作の一例を示す説明図である。騒音測定部３７は、測定時間（１０秒）分の入力音の内、２秒単位で入力音を周波数分析する。騒音測定部３７は、２秒単位の入力音の周波数成分から、音声有り時点の入力音の周波数成分と、音声無し時点の入力音の周波数成分とを得る。そして、騒音測定部３７は、図４に示すように、音声有り時点の入力音の周波数成分の音量と、音声無し時点の入力音の周波数成分の音量との差分の音量を、特定周波数の音声成分である騒音音量として抽出する。尚、音声成分は、例えば５００Ｈｚ〜２０００Ｈｚ程度の特定周波数である。そして、騒音測定部３７は、２秒単位の入力音から抽出した騒音音量及び、自携帯端末２の宛先情報を、警告要求側の携帯端末２Ａに対して近距離無線部１６を通じて通知する。尚、宛先情報は、例えば、携帯端末２のＩＰアドレス等である。そして、騒音測定部３７は、測定時間（１０秒）分の全５つの２秒単位の騒音音量を警告要求側の携帯端末２Ａに通知する。
【００１９】
警告判定部３８は、例えば、周辺の携帯端末２Ｃから騒音音量を受信し、取得された騒音音量に基づき、警告対象の携帯端末２Ｂの宛先情報を特定するプロセスとして機能する。そして、警告判定部３８は、例えば、周辺の携帯端末２Ｃから騒音音量及び宛先情報を受信すると、各周辺の携帯端末２Ｃの宛先情報毎に２秒単位の騒音音量をＲＡＭ２１に順次記憶する。警告判定部３８は、ＲＡＭ２１に記憶中の携帯端末２の宛先情報毎の騒音音量から、例えば、騒音音量が５０ｄＢ以上、かつ最大の携帯端末２を警告対象の携帯端末２Ｂと判断し、その警告対象の携帯端末２Ｂの宛先情報を特定する。尚、警告判定部３８は、騒音音量が最大の携帯端末２を、利用者が通話している警告対象の携帯端末２Ｂと判断する。そして、警告判定部３８は、特定された警告対象の携帯端末２Ｂの宛先情報に基づき、警告対象の携帯端末２Ｂに対して近距離無線部１６を通じて警告を通知する。
【００２０】
制御部３９は、プロセッサ２０全体を制御するプロセスとして機能する。例えば、警告対象の携帯端末２Ｂの制御部３９は、近距離無線部１６を通じて、警告要求側の携帯端末２Ａから警告を受信した場合、表示制御部３５を通じて警告を表示部１７に画面表示する。図５は、警告表示の一例を示す説明図である。尚、表示部１７に画面表示する警告は、例えば、「周りが迷惑していますので静かにして下さい。」等のメッセージ内容である。また、警告対象の携帯端末２Ｂの制御部３９は、警告に応じて、例えば、バイブレーションＯＮ動作する。更に、制御部３９は、警告を受信した場合に、現在の通信状況が通話中の場合、警告のメッセージ内容を通話音声に割り込み出力する。更に、制御部３９は、警告を受信した場合に、現在の通信状況が通話中と判定すると、警告回数を＋１インクリメントする。そして、制御部３９は、警告回数が限界回数、例えば、３回に到達した場合、携帯端末２の電源をＯＦＦにして通話中の通話を強制終了する。
【００２１】
次に、本実施例の騒音警告システム１の動作について説明する。図６は、騒音警告システム１内の携帯端末２に関わる処理動作の一例を示す動作シーケンスである。尚、説明の便宜上、無線ＬＡＮの近距離無線エリア範囲内の携帯端末２は３台とする。図６に示す警告要求側の携帯端末２Ａは、近距離無線エリア範囲内に在圏する各携帯端末２に対してブロードキャスト信号を送信する（ステップＳ１）。尚、近距離無線エリア範囲内に在圏する携帯端末２は、例えば、２台の携帯端末２（ＩＰ−Ｂ、ＩＰ−Ｃ）とする。
【００２２】
警告要求側の携帯端末２Ａは、近距離無線エリア範囲内の各携帯端末２に対して、ブロードキャストでＳＳＩＤ（Service  Set  Identifier）付加情報内に「騒音測定開始」を報知する（ステップＳ２）。“ＩＰ−Ｂ”の携帯端末２は、騒音測定開始を受信した場合、マイク１４を一定の測定時間ＯＮにして入力音を測定し、その測定結果に基づき騒音音量を抽出する騒音測定処理を実行する（ステップＳ３Ａ）。そして、“ＩＰ−Ｂ”の携帯端末２は、騒音測定処理で順次抽出した騒音音量を、近距離無線部１６を通じて警告要求側の携帯端末２Ａに順次通知する（ステップＳ４Ａ）。
【００２３】
また、“ＩＰ−Ｃ”の携帯端末２も、騒音測定開始を受信した場合、マイク１４を一定時間ＯＮにして入力音を測定し、その測定結果に基づき騒音音量を抽出する騒音測定処理を実行する（ステップＳ３Ｂ）。そして、“ＩＰ−Ｃ”の携帯端末２は、騒音測定処理で順次抽出した騒音音量を、近距離無線部１６を通じて警告要求側の携帯端末２Ａに順次通知する（ステップＳ４Ｂ）。
【００２４】
警告要求側の携帯端末２Ａは、各携帯端末２から取得した騒音音量に基づき、騒音音量が５０ｄＢ以上、かつ最大の騒音音量を送信した携帯端末２を騒音元である警告対象の携帯端末２Ｂと特定する（ステップＳ５）。尚、図６の例では、警告要求側の携帯端末２Ａは、騒音音量に基づき、最大の騒音音量を送信した携帯端末２が“ＩＰ−Ｃ”の携帯端末２であるため、“ＩＰ−Ｃ”の携帯端末２を警告対象の携帯端末２Ｂと特定する。そして、警告要求側の携帯端末２Ａは、近距離無線部１６を通じて警告対象の携帯端末２Ｂである“ＩＰ−Ｃ”の携帯端末２に警告を報知する（ステップＳ６）。
【００２５】
次に騒音警告システム１に関わる各携帯端末２の処理動作の一例について説明する。図７は、第１の騒音警告処理に関わる警告要求側の携帯端末２Ａのプロセッサ２０側の処理動作の一例を示すフローチャートである。図７に示す第１の騒音警告処理は、無線ＬＡＮの近距離無線エリア範囲内で通話中若しくは騒がしい利用者の携帯端末２に対して警告を報知する、警告要求側の携帯端末２Ａ側の処理である。警告要求側の携帯端末２Ａの利用者は、近距離無線エリア範囲内に大声で話す利用者が居た場合、キー操作部１８を通じて第１の騒音警告処理の起動を要求する。
【００２６】
警告要求側の携帯端末２Ａのプロセッサ２０内の制御部３９は、第１の騒音警告処理の起動操作を検出したか否かを判定する(ステップＳ１１)。近距離無線制御部３３は、起動操作を検出した場合(ステップＳ１１肯定)、近距離無線部１６を通じて近距離無線エリア範囲内で周辺の携帯端末２Ｃをサーチする(ステップＳ１２)。近距離無線制御部３３は、サーチ結果に基づき、近距離無線エリア範囲内の周辺の携帯端末２Ｃに対して通信を要求する(ステップＳ１３)。
【００２７】
近距離無線制御部３３は、各周辺の携帯端末２Ｃに対する通信要求に応じて、周辺の携帯端末２Ｃとの通信を確立したか否かを判定する(ステップＳ１４)。近距離無線制御部３３は、周辺の携帯端末２Ｃとの通信を確立した場合(ステップＳ１４肯定)、通信要求の全ての周辺の携帯端末２Ｃとの間の通信確立が完了したか否かを判定する(ステップＳ１５)。
【００２８】
警告判定部３８は、全ての周辺の携帯端末２Ｃとの間の通信確立が完了した場合(ステップＳ１５肯定)、ＳＳＩＤの付加情報内に「騒音測定開始」を付加し、通信確立中の全ての周辺の携帯端末２Ｃに対してブロードキャストする(ステップＳ１６)。周辺の携帯端末２Ｃは、後述する図８の騒音測定処理に示す通り、警告要求側の携帯端末２Ａから「騒音測定開始」のブロードキャストに応じて無線ＬＡＮの近距離無線エリア範囲内の騒音音量を抽出し、抽出された騒音音量を警告要求側の携帯端末２Ａに通知する。
【００２９】
警告判定部３８は、近距離無線部１６を通じて、各周辺の携帯端末２Ｃから宛先情報及び騒音音量を受信したか否かを判定する(ステップＳ１７)。警告判定部３８は、周辺の携帯端末２Ｃから宛先情報及び騒音音量を受信した場合(ステップＳ１７肯定)、周辺の携帯端末２Ｃの宛先情報毎に騒音音量をＲＡＭ２１に記憶する(ステップＳ１８)。
【００３０】
警告判定部３８は、周辺の携帯端末２Ｃの宛先情報毎に騒音音量をＲＡＭ２１に記憶した後、全ての周辺の携帯端末２Ｃから測定時間内の全騒音音量の記憶が完了したか否かを判定する（ステップＳ１９）。警告判定部３８は、測定時間内の全騒音音量の記憶が完了した場合(ステップＳ１９肯定)、ＲＡＭ２１に記憶中の測定時間内の騒音音量が５０ｄＢ以上、かつ最大の携帯端末２を警告対象の携帯端末２Ｂとして特定する(ステップＳ２０)。尚、警告判定部３８は、騒音音量が５０ｄＢ以上、かつ最大の携帯端末２を警告対象の携帯端末２Ｂとして特定する際に、携帯端末２毎の５個の２秒単位の騒音音量を利用したのは無音状態を回避するためである。
【００３１】
警告判定部３８は、警告対象の携帯端末２Ｂを特定した後、近距離無線部１６を通じて警告対象の携帯端末２Ｂに対して警告を報知し(ステップＳ２１)、図７に示す処理動作を終了する。
【００３２】
制御部３９は、起動操作を検出しなかった場合(ステップＳ１１否定)、図７に示す処理動作を終了する。近距離無線制御部３３は、周辺の携帯端末２Ｃとの間の通信が確立しなかった場合(ステップＳ１４否定)、周辺の携帯端末２Ｃとの間の通信が確立したか否かを判定すべく、ステップＳ１４に移行する。近距離無線制御部３３は、全ての周辺の携帯端末２Ｃとの間の通信確立が完了しなかった場合(ステップＳ１５否定)、周辺の携帯端末２Ｃとの間の通信が確立したか否かを判定すべく、ステップＳ１４に移行する。
【００３３】
制御部３９は、周辺の携帯端末２Ｃから宛先情報及び騒音音量を受信しなかった場合(ステップＳ１７否定)、全ての周辺の携帯端末２Ｃから測定時間内の全騒音音量を記憶したか否かを判定すべく、ステップＳ１９に移行する。
【００３４】
図７に示す騒音警告処理の警告要求側の携帯端末２Ａのプロセッサ２０は、所定操作に応じて近距離無線エリア範囲内の携帯端末２に対して騒音測定開始をブロードキャストで報知し、各携帯端末２から騒音音量を収集する。更に、プロセッサ２０は、各周辺の携帯端末２Ｃから騒音音量を収集し、騒音音量が５０ｄＢ以上、かつ最大の携帯端末２を警告対象の携帯端末２Ｂと特定し、警告対象の携帯端末２Ｂに対して警告を報知する。その結果、警告要求側の携帯端末２Ａの利用者は、警告対象の携帯端末２Ｂの宛先情報を知らなくても警告対象の携帯端末２Ｂを特定し、その警告対象の携帯端末２Ｂに対して警告を報知できる。
【００３５】
尚、制御部３９は、ステップＳ１５で、全ての周辺の携帯端末との通信確立完了した場合に、ステップＳ１６の処理を行うとしたが、これに限らず、所定時間内に通信確立完了した周辺の携帯端末に対してステップＳ１６の処理を行うとしても良い。
【００３６】
図８は、騒音測定処理に関わる周辺の携帯端末２Ｃ側のプロセッサ２０の処理動作の一例を示すフローチャートである。図８に示す騒音測定処理では、近距離無線エリア範囲内の周辺の携帯端末２Ｃが騒音測定開始を検出すると、マイク１４の入力音を一定時間測定し、測定時間内の２秒毎の騒音音量を抽出し、騒音音量を警告要求側の携帯端末２Ａに通知する処理である。
【００３７】
図８において周辺の携帯端末２Ｃ側のプロセッサ２０内の近距離無線制御部３３は、近距離無線部１６を通じてブロードキャスト信号を受信したか否かを判定する(ステップＳ３１)。近距離無線制御部３３は、ブロードキャスト信号を受信した場合(ステップＳ３１肯定)、ブロードキャスト信号のＳＳＩＤ付加情報内に「騒音測定開始」があるか否かを判定する(ステップＳ３２)。
【００３８】
騒音測定部３７は、ＳＳＩＤ付加情報内に「騒音測定開始」がある場合(ステップＳ３２肯定)、騒音測定動作を開始する(ステップＳ３３)。尚、騒音測定部３７は、マイク制御部３４を通じてマイク１４を一定の測定時間、例えば１０秒間、ＯＮ動作して入力音の測定動作を開始する。尚、一定の測定時間を、例えば、１０秒間とすることで無音状態を回避できる。
【００３９】
騒音測定部３７は、測定時間(１０秒間)内の２秒単位の入力音の周波数成分を分析し(ステップＳ３４)、２秒単位の入力音の周波数成分の内、音声有り時点の周波数成分毎の音量を取得する(ステップＳ３５)。騒音測定部３７は、２秒単位の入力音の周波数成分の内、音声無し時点の周波数成分毎の音量を取得する(ステップＳ３６)。騒音測定部３７は、音声有り時点の周波数成分毎の音量と音声無し時点の周波数成分毎の音量との差分を人の音声成分である特定周波数の騒音音量として抽出する(ステップＳ３７)。その結果、騒音測定部３７は、測定時間内の２秒単位の騒音音量を抽出できる。尚、測定時間を２秒単位で分別して複数の騒音音量を抽出することで無音状態を回避できる。
【００４０】
近距離無線制御部３３は、近距離無線部１６を通じて、抽出した騒音音量及び自分の宛先情報を、騒音測定開始を要求した警告要求側の携帯端末２Ａに対して通知する(ステップＳ３８)。騒音測定部３７は、測定時間(１０秒分)内の２秒単位の騒音音量の通知が全て完了したか否かを判定する(ステップＳ３９)。
【００４１】
騒音測定部３７は、測定時間(１０秒分)内の２秒単位の騒音音量の通知が全て完了した場合(ステップＳ３９肯定)、図８に示す処理動作を終了する。騒音測定部３７は、測定時間分の騒音音量の通知が全て完了しなかった場合(ステップＳ３９否定)、次の２秒単位の入力音を周波数分析すべく、ステップＳ３４に移行する。
【００４２】
図８に示す騒音測定処理に関わる周辺の携帯端末２Ｃのプロセッサ２０は、警告要求側の携帯端末２Ａから騒音測定開始を受信した場合、マイク１４を一定の測定時間ＯＮ動作して入力音を測定し、２秒単位で入力音を周波数分析する。プロセッサ２０は、２秒単位の入力音を周波数分析し、音声有り時点の周波数成分の音量と音声無し時点の周波数成分の音量との差分で音声成分である２秒単位の騒音音量を抽出する。更に、プロセッサ２０は、２秒単位の騒音音量を順次抽出し、騒音音量及び宛先情報を警告要求側の携帯端末２Ａに通知する。そして、プロセッサ２０は、測定時間分の２秒単位の騒音音量を警告要求側の携帯端末２Ａに対して全て通知する。
【００４３】
図９は、警告処理に関わる警告対象の携帯端末２Ｂ側のプロセッサ２０の処理動作の一例を示すフローチャートである。図９に示す警告処理は、警告対象の携帯端末２Ｂが警告要求側の携帯端末２Ａから警告を受信した場合、警告に応じて処理動作を実行する処理である。
【００４４】
図９において警告対象の携帯端末２Ｂ側のプロセッサ２０内の近距離無線制御部３３は、警告要求側の携帯端末２Ａから警告を受信したか否かを判定する（ステップＳ４１）。制御部３９は、警告要求側の携帯端末２Ａから警告を受信した場合（ステップＳ４１肯定）、警告に対応した警告メッセージを表示部１７に画面表示し、警告に対応したバイブレーション動作をＯＮする（ステップＳ４２）。その結果、警告対象の携帯端末２Ｂの利用者は、警告表示やバイブレーションに基づき自分の周囲への迷惑を意識する。
【００４５】
制御部３９は、現在の通信状況が通話中であるか否かを判定する（ステップＳ４３）。制御部３９は、現在の通信状況が通話中の場合（ステップＳ４３肯定）、警告メッセージの音声アナウンスを通話音声に割り込み出力する（ステップＳ４４）。その結果、警告対象の携帯端末２Ｂの利用者は、音声アナウンスで自分の周囲への迷惑を意識する。更に、制御部３９は、音声アナウンスを通話音声に割り込み出力した後、警告回数を＋１インクリメントし（ステップＳ４５）、警告回数が限界回数であるか否かを判定する（ステップＳ４６）。
【００４６】
制御部３９は、警告回数が限界回数の場合（ステップＳ４６肯定）、電源をＯＦＦして通話を強制終了し（ステップＳ４７）、図９に示す処理動作を終了する。その結果、警告対象の携帯端末２Ｂの利用者は、通話強制終了で自分の周囲への迷惑を意識する。制御部３９は、警告を受信しなかった場合（ステップＳ４１否定）、又は、現在の通信状況が通話中でない場合（ステップＳ４３否定）、図９に示す処理動作を終了する。
【００４７】
また、制御部３９は、警告回数が限界回数でない場合（ステップＳ４６否定）、警告要求側の携帯端末２Ａから警告を受信したか否かを判定する（ステップＳ４８）。制御部３９は、警告要求側の携帯端末２Ａから警告を受信した場合（ステップＳ４８肯定）、現在の通信状況が通信中であるか否かを判定すべく、ステップＳ４３に移行する。
【００４８】
また、制御部３９は、警告要求側の携帯端末２Ａから警告を受信しなかった場合（ステップＳ４８否定）、警告を受信したか否かを判定すべく、ステップＳ４８に移行する。
【００４９】
図９に示す警告処理に関わる警告対象の携帯端末２Ｂ側のプロセッサ２０は、警告要求側の携帯端末２Ａから警告を受信した場合、警告に対応した警告表示又はバイブレーション動作を実行する。その結果、警告対象の携帯端末２Ｂの利用者は、警告表示又はバイブレーションで自分の周囲への迷惑を意識できる。
【００５０】
プロセッサ２０は、通話中に警告を受信した場合、警告に対応した音声アナウンスを通話音声に割り込み出力する。その結果、警告対象の携帯端末２Ｂの利用者は、警告の音声アナウンスで自分の周囲への迷惑を意識できる。
【００５１】
プロセッサ２０は、警告回数が限界回数となった場合、通話を強制終了する。その結果、複数回に亘って警告しているにも関わらず、警告を無視して通話を止めない警告対象の携帯端末２Ｂの相手に対しても、その通話を止めることができる。
【００５２】
本実施例の警告要求側の携帯端末２Ａは、所定操作に応じて近距離無線エリア範囲内の周辺の携帯端末２Ｃに対して騒音測定開始をブロードキャストし、周辺の携帯端末２Ｃから同一測定時間内の騒音音量を収集する。警告要求側の携帯端末２Ａは、収集された騒音音量が５０ｄＢ以上、かつ最大の携帯端末２を警告対象の携帯端末２Ｂとして特定し、特定された警告対象の携帯端末２Ｂに警告を報知する。その結果、警告要求側の携帯端末２Ａの利用者は、警告対象の携帯端末２Ｂの宛先情報を知らなくても、警告対象の携帯端末２Ｂに対して警告できる。
【００５３】
更に、警告対象の携帯端末２Ｂは、警告要求側の携帯端末２Ａから警告を受信した場合、警告画面の画面表示及びバイブレーション動作を実行する。その結果、警告要求側の携帯端末２Ａの利用者は、警告対象の携帯端末２Ｂの利用者に対して、警告画面やバイブレーションで、周囲への迷惑を意識させることができる。
【００５４】
更に、周辺の携帯端末２Ｃは、警告要求側の携帯端末２Ａから騒音測定開始のブロードキャスト信号を受信すると、一定の測定時間でマイク１４をＯＮ動作し、測定時間分の入力音を測定する。更に、周辺の携帯端末２Ｃは、測定時間内の２秒単位の入力音毎に、音声有り時点の入力音の周波数成分の音量と、音声なし時点の入力音の周波数成分の音量との差分で音声成分である特定周波数の騒音音量を抽出する。その結果、周辺の携帯端末２Ｃは、マイク１４を使用して自己周辺の音声部分の騒音音量を抽出できる。
【００５５】
また、警告要求側の携帯端末２Ａは、通話を禁止している公共の場での通話音声の大きさだけでなく、その声が大きい第三者の携帯端末２を警告対象の携帯端末２Ｂとして周辺の騒音音量に基づき特定できる。
【００５６】
尚、図７の第１の騒音警告処理では、警告要求側の携帯端末２Ａが無線ＬＡＮの近距離無線通信のブロードキャストで騒音測定開始を近距離無線エリア範囲内の周辺の携帯端末２Ｃに報知した。しかしながら、騒音測定開始のブロードキャストをテザリングモードで実行しても良く。この場合の騒音警告処理につき、第２の騒音警告処理として説明する。図１０は、第２の騒音警告処理に関わる警告要求側の携帯端末２Ａ側のプロセッサ２０の処理動作の一例を示すフローチャートである。
【００５７】
図１０の警告要求側の携帯端末２Ａ側のプロセッサ２０内の制御部３９は、第２の騒音警告処理の起動操作を検出したか否かを判定する(ステップＳ５１)。制御部３９は、起動操作を検出した場合(ステップＳ５１肯定)、テザリングモードを起動する（ステップＳ５２）。
【００５８】
警告判定部３８は、ＳＳＩＤブロードキャストメッセージ内のＳＳＩＤ付加情報内に「騒音測定開始」を付加し（ステップＳ５３）、ＳＳＩＤブロードキャストメッセージを周辺の携帯端末２Ｃに報知する(ステップＳ５４)。そして、近距離無線制御部３３は、周辺の携帯端末２Ｃから通信接続要求があったか否かを判定する（ステップＳ５５）。近距離無線制御部３３は、周辺の携帯端末２Ｃから通信接続要求があった場合（ステップＳ５５肯定）、通信接続要求のあった周辺の携帯端末２Ｃとの間の通信セッションを確立する（ステップＳ５６）。
【００５９】
警告判定部３８は、近距離無線部１６を通じて、各周辺の携帯端末２Ｃから宛先情報及び騒音音量を受信したか否かを判定する(ステップＳ５７)。警告判定部３８は、周辺の携帯端末２Ｃから宛先情報及び騒音音量を受信した場合(ステップＳ５７肯定)、周辺の携帯端末２Ｃの宛先情報毎に騒音音量をＲＡＭ２１に記憶する(ステップＳ５８)。
【００６０】
警告判定部３８は、周辺の携帯端末２Ｃの宛先情報毎に騒音音量をＲＡＭ２１に記憶した後、全ての周辺の携帯端末２Ｃから測定時間内の全ての騒音音量の記憶が完了したか否かを判定する（ステップＳ５９）。警告判定部３８は、測定時間内の全ての騒音音量の記憶が完了した場合(ステップＳ５９肯定)、ＲＡＭ２１に記憶中の測定時間内の騒音音量が最大の携帯端末２を警告対象の携帯端末２Ｂとして特定する(ステップＳ６０)。
【００６１】
警告判定部３８は、警告対象の携帯端末２Ｂを特定した後、近距離無線部１６を通じて警告対象の携帯端末２Ｂに対して警告を報知し(ステップＳ６１)、テザリングモードを解除し（ステップＳ６２）、図１０に示す処理動作を終了する。
【００６２】
制御部３９は、起動操作を検出しなかった場合(ステップＳ５１否定)、図１０に示す処理動作を終了する。近距離無線制御部３３は、周辺の携帯端末２Ｃからの通信接続要求がなかった場合(ステップＳ５５否定)、周辺の携帯端末２Ｃからの通信接続要求があったか否かを判定すべく、ステップＳ５５に移行する。
【００６３】
制御部３９は、周辺の携帯端末２Ｃから宛先情報及び騒音音量を受信しなかった場合(ステップＳ５７否定)、全ての周辺の携帯端末２Ｃから測定時間内の全騒音音量を記憶したか否かを判定すべく、ステップＳ５９に移行する。また、制御部３９は、周辺の携帯端末２Ｃから測定時間内の全ての騒音音量の記憶が完了しなかった場合（ステップＳ５９否定）、周辺の携帯端末２Ｃから騒音音量及び宛先情報を受信したか否かを判定すべく、ステップＳ５７に移行する。
【００６４】
図１０に示す第２の騒音警告処理の警告要求側の携帯端末２Ａのプロセッサ２０は、所定操作に応じてテザリングモードで近距離無線エリア範囲内の携帯端末２に対して騒音測定開始をブロードキャストで報知し、各携帯端末２から騒音音量を収集する。更に、プロセッサ２０は、各周辺の携帯端末２から騒音音量を収集し、騒音音量が５０ｄＢ以上、かつ最大の携帯端末２を警告対象の携帯端末２Ｂと特定し、警告対象の携帯端末２Ｂに対して警告を報知する。その結果、警告要求側の携帯端末２Ａの利用者は、警告対象の携帯端末２Ｂの宛先情報を知らなくても警告対象の携帯端末２Ｂを特定し、その警告対象の携帯端末２Ｂに対して警告を報知できる。そして、警告対象の携帯端末２Ｂの利用者に自分の周囲の迷惑を意識させることができる。
【００６５】
尚、上記実施例では、周辺の携帯端末２の騒音測定処理に関わる騒音測定の測定時間を１０秒、騒音音量を２秒単位、更に、警告回数の限界回数を３回としたが、これら数値に限定されるものではなく、適宜変更可能である。
【００６６】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００６７】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００６８】
ところで、本実施例で説明した各種の処理は、予め用意されたプログラムを情報処理装置で実行することで実現できる。そこで、以下では、上記実施例と同様の機能を有するプログラムを実行する情報処理装置の一例を説明する。図１１は、警告報知プログラムを実行する情報処理装置を示す説明図である。
【００６９】
図１１に示す警告報知プログラムを実行する情報処理装置１００では、ＲＯＭ１１０、ＲＡＭ１２０、プロセッサ１３０、操作部１４０、表示部１５０及び通信部１６０を有する。
【００７０】
そして、ＲＯＭ１１０には、上記実施例と同様の機能を発揮する警告報知プログラムが予め記憶されている。尚、ＲＯＭ１１０ではなく、図示せぬドライブで読取可能な記録媒体に警告報知プログラムが記録されていても良い。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でも良い。警告報知プログラムとしては、図１１に示すように、依頼プログラム１１０Ａ、収集プログラム１１０Ｂ、特定プログラム１１０Ｃ及び報知プログラム１１０Ｄである。尚、プログラム１１０Ａ、１１０Ｂ、１１０Ｃ及び１１０Ｄについては、適宜統合又は分散しても良い。
【００７１】
そして、プロセッサ１３０は、これらのプログラム１１０Ａ、１１０Ｂ、１１０Ｃ及び１１０ＤをＲＯＭ１１０から読み出し、これら読み出された各プログラムを実行する。そして、プロセッサ１３０は、図１１に示すように、各プログラム１１０Ａ、１１０Ｂ、１１０Ｃ及び１１０Ｄを、依頼プロセス１３０Ａ、収集プロセス１３０Ｂ、特定プロセス１３０Ｃ及び報知プロセス１３０Ｄとして機能する。
【００７２】
プロセッサ１３０は、所定操作に応じてブロードキャストの無線通信で他の通信端末装置に対してマイクの入力音の送信を依頼する。プロセッサ１３０は、各通信端末装置から前記送信の依頼に対応した入力音を収集し、収集した入力音の内、特定の周波数成分の音量が最大の入力音を特定する。更に、プロセッサ１３０は、特定された入力音を送信した通信端末装置に対して警告を報知する。その結果、音声の大きい他人の通信端末装置に対して警告できる。
【００７３】
以上、本実施例を含む実施の形態に関し、更に以下の付記を開示する。
【００７４】
（付記１）通信端末装置のプロセッサに、
所定操作に応じてブロードキャストの無線通信で他の通信端末装置に対してマイクの入力音の送信を依頼し、
各通信端末装置から前記送信の依頼に対応した入力音を収集し、
収集した入力音の内、特定の周波数成分の音量が最大の入力音を特定し、
特定された入力音を送信した通信端末装置に対して警告を報知する
各処理を実行させることを特徴とする警告報知プログラム。
【００７５】
（付記２)前記特定の周波数成分の音量が最大の入力音を特定する処理は、
各通信端末装置から収集した同一時間帯の入力音内の特定の周波数成分の音量から、前記特定の周波数成分の音量が最大の入力音を特定する処理であることを特徴とする付記１に記載の警告報知プログラム。
【００７６】
(付記３)前記報知された警告を受信した前記通信端末装置は、
前記警告に応じた処理動作を実行することを特徴とする付記１に記載の警告報知プログラム。
【００７７】
（付記４）前記通信端末装置から収集した入力音は、
前記通信端末装置が前記入力音の送信の依頼に応じて一定の測定時間内で測定した入力音内の音声有り時点の入力音の周波数成分の音量と、当該測定時間内で測定した入力音内の音声無し時点の入力音の周波数成分の音量との差分である音声の騒音音量であることを特徴とする付記１に記載の警告報知プログラム。
【００７８】
（付記５）プロセッサを有する通信端末装置であって、
前記プロセッサは、
所定操作に応じてブロードキャストの無線通信で他の通信端末装置に対してマイクの入力音の送信を依頼し、
各通信端末装置から前記送信の依頼に対応した入力音を収集し、
収集した入力音の内、特定の周波数成分の音量が最大の入力音を特定し、
特定された入力音を送信した通信端末装置に対して警告を報知する
各処理を実行することを特徴とする通信端末装置。
【００７９】
（付記６）通信端末装置の警告報知方法であって、
前記通信端末装置は、
所定操作に応じてブロードキャストの無線通信で他の通信端末装置に対してマイクの入力音の送信を依頼し、
各通信端末装置から前記送信の依頼に対応した入力音を収集し、
収集した入力音の内、特定の周波数成分の音量が最大の入力音を特定し、
特定された入力音を送信した通信端末装置に対して警告を報知する
各処理を実行することを特徴とする警告報知方法。
【００８０】
（付記７）プロセッサとメモリとを有する情報処理装置であって、
前記プロセッサは、
所定操作に応じてブロードキャストの無線通信で他の通信端末装置に対してマイクの入力音の送信を依頼し、
各通信端末装置から前記送信の依頼に対応した入力音を収集し、
収集した入力音の内、特定の周波数成分の音量が最大の入力音を特定し、
特定された入力音を送信した通信端末装置に対して警告を報知する
各処理を実行することを特徴とする情報処理装置。
【符号の説明】
【００８１】
１  騒音警告システム
２  携帯端末
２Ａ  警告要求側の携帯端末
２Ｂ  警告対象の携帯端末
２Ｃ  周辺の携帯端末
１４  マイク
２０  プロセッサ
【図１】
2014072753.tif 000003
【図２】
2014072753.tif 000004
【図３】
2014072753.tif 000005
【図４】
2014072753.tif 000006
【図５】
2014072753.tif 000007
【図６】
2014072753.tif 000008
【図７】
2014072753.tif 000009
【図８】
2014072753.tif 000010
【図９】
2014072753.tif 000011
【図１０】
2014072753.tif 000012
【図１１】
2014072753.tif 000013